(57)【要約】【課題】  解析データを作成する際に、解析データにおける隙間等の解消を、オペレータの手作業によらず、自動的に行ない得るようにして、解析データの作成を効率的に行なうことができるようにする。【解決手段】  複数の部品からなる構造物の３次元設計データを、複数の部品毎に複数の直方体に分割することにより当該構造物の解析データを生成する解析データ生成部１１と、３次元設計データでは２つの部品の端面が相互に密接する部分であって、解析データでは２つの部品に対応する直方体の端面が相互に密接していない未密接部分を、解析データから抽出する未密接部分抽出部１２と、未密接部分を形成する直方体の形状を調整することにより未密接部分が解消された解析データを生成する調整部１３とをそなえる。【選択図】  図１
2006185276.tif 000002
【特許請求の範囲】
【請求項１】
複数の部品からなる構造物の３次元設計データを、前記複数の部品毎に複数の直方体に分割することにより当該構造物の解析データを生成する解析データ生成部と、
前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出部と、
該未密接部分抽出部によって抽出された前記未密接部分を形成する前記直方体の形状を調整することにより前記未密接部分が解消された解析データを生成する調整部とをそなえて構成されていることを特徴とする、解析データ作成装置。
【請求項２】
複数の部品からなる構造物の解析に用いる解析データを作成する機能をコンピュータに実現させるための解析データ作成プログラムであって、
当該構造物の３次元設計データを、前記複数の部品毎に複数の直方体に分割することにより当該構造物の解析データを生成する解析データ生成部、
前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出部、及び、
該未密接部分抽出部によって抽出された前記未密接部分を形成する前記直方体の形状を調整することにより前記未密接部分が解消された解析データを生成する調整部として、前記コンピュータを機能させることを特徴とする、解析データ作成プログラム。
【請求項３】
複数の部品からなる構造物の解析に用いる解析データを作成する機能をコンピュータに実現させるための解析データ作成プログラムを記録したコンピュータ読取可能な記録媒体であって、
前記解析データ作成プログラムが、
当該構造物の３次元設計データを、前記複数の部品毎に複数の直方体に分割することにより当該構造物の解析データを生成する解析データ生成部、
前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出部、及び、
該未密接部分抽出部によって抽出された前記未密接部分を形成する前記直方体の形状を調整することにより前記未密接部分が解消された解析データを生成する調整部として、前記コンピュータを機能させることを特徴とする、解析データ作成プログラムを記録したコンピュータ読取可能な記録媒体。
【請求項４】
記憶部に保持された複数の部品からなる構造物の３次元設計データを、前記複数の部品毎に複数の直方体に分割することにより当該構造物の解析データを生成する解析データ生成ステップと、
前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出ステップと、
該未密接部分抽出ステップにおいて抽出された前記未密接部分を形成する前記直方体の形状を調整することにより前記未密接部分が解消された解析データを生成する調整ステップとを含むことを特徴とする、解析データ作成方法。
【請求項５】
複数の部品からなる構造物の３次元設計データを、前記複数の部品毎に複数の直方体に分割することにより当該構造物の解析データを生成する解析データ生成部と、
前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出部と、
該未密接部分抽出部によって抽出された前記未密接部分を形成する前記直方体の形状を調整することにより前記未密接部分が解消された解析データを生成する調整部と、
該調整部によって前記未密接部分が解消された解析データを用いて当該構造物の解析を行なう解析部とをそなえて構成されていることを特徴とする、解析装置。
【発明の詳細な説明】
【技術分野】
【０００１】
本発明は、複数の部品からなる構造物の解析を行なうための当該構造物の解析データを作成するための技術に関する。
【背景技術】
【０００２】
近年、装置等の設計開発において、ＣＡＤ（Computer Aided Design）を用いた３次元設計が進んでいる。そして、ＣＡＤを用いて作成された３次元ＣＡＤデータ（以下、３次元設計データという）を有効活用するために、３次元設計データを構造解析等の解析（シュミレーション）を行なうための解析用形状データ（以下、単に解析データという）に変換するツール開発が進んでおり、種々の変換ツールが提案されている（例えば、下記特許文献１参照）。
【０００３】
また、様々な目的でＣＡＤデータを他の形式のデータに変換する技術もある（例えば、下記特許文献２，３参照）。
ところで、従来から、複数の部品からなる構造物の３次元設計データを、複数の部品毎に複数の直方体によって近似（簡略化）することにより解析データに変換する手法があり、このような手法では、図１４（ａ）に示す部品Ａの３次元設計データを、図１４（ｂ）に示すごとく、複数（ここでは６個）の直方体Ａ１〜Ａ６に分割することによって部品Ａの解析データＡ′を生成する。また、図１４（ｃ）に示すごとく、部品Ａを図１４（ｂ）に示す解析データよりも多い（ここでは１２個）の直方体ａ１〜ａ１２に細かく分割することによって、図１４（ｂ）よりも高精度に解析データａ′を生成することができる。
【特許文献１】特開２００３−２７１６８４号公報
【特許文献２】特開２０００−２３１５８０号公報
【特許文献３】特開平５−８９２５５号公報
【発明の開示】
【発明が解決しようとする課題】
【０００４】
ところで、図１４（ａ）〜（ｃ）を参照しながら上述した、部品を複数の直方体に分割することにより解析データを生成する手法では、複数の部品からなるアセンブリ（構造物）の３次元設計データから解析データを生成すると、３次元設計データでは２つの部品が相互に密接している部分が、解析データへ変換する際の簡略化により、解析データではかかる２つの部品間に隙間や干渉（重なり）が生じることがある。
【０００５】
例えば、図１５（ａ）に示すような、円筒形状の部品Ｃの穴に、円柱形状の部品（ふた）Ｄが嵌め込まれる構造物の３次元設計データを部品Ｃ，Ｄ毎に複数の直方体に分割して解析データを生成すると、図１５（ｂ）に示すごとく、部品Ｃの内側の端面と部品Ｄの端面との間に隙間Ｓが発生する。
つまり、図１５（ａ）に示すように３次元設計データでは、部材Ｃの内側面と部材Ｄの外側面とが密接している部分が、図１５（ｂ）に示すように解析データにおいては密接せずに隙間Ｓが生じてしまう。
【０００６】
このように３次元設計データでは本来無い隙間等が解析データにおいて発生してしまうため、従来から、解析を行なうオペレータが手作業によってかかる隙間等を解消している。具体的には、モニタに表示された解析データを目視することで隙間を確認し、マウス操作等を行なって隙間を形成する直方体のエッジを選択し、マウスをドラッグして当該直方体の長さや幅や奥行きを修正したり、あるいは、当該直方体をマウスで選択して移動したりすることで隙間を解消しており、この作業がオペレータには大きな負担になる。
【０００７】
また、３次元設計データでは本来無い隙間等が解析データにおいて発生するケースは、構成物を形成する部品が曲面を有する場合に非常に多く見られ、このような場合には、かかる隙間等を認識して解消するための作業が煩雑になり、多くの時間を要する。
さらに、隙間や干渉を解消するための作業後に、隙間等が本当に解消されたか否かを確認する作業もオペレータが目視により行なわなければならず、この確認作業もオペレータには大きな負担になる。
【０００８】
本発明は、このような課題に鑑み創案されたもので、複数の部品からなる構造物の解析を行なうための解析データを作成する際に、解析データにおける隙間等の解消を、オペレータの手作業によらず、自動的に行ない得るようにして、解析データの作成を効率的に行なえるようにすることを目的とする。
【課題を解決するための手段】
【０００９】
上記目的を達成するために、本発明の解析データ作成装置は、複数の部品からなる構造物の３次元設計データを、前記複数の部品毎に複数の直方体に分割することにより当該構造物の解析データを生成する解析データ生成部と、前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出部と、この未密接部分抽出部によって抽出された前記未密接部分を形成する前記直方体の形状を調整することにより前記未密接部分が解消された解析データを生成する調整部とをそなえて構成されていることを特徴としている（請求項１）。
【００１０】
また、上記目的を達成するため、本発明の解析データ作成プログラムは、複数の部品からなる構造物の解析に用いる解析データを作成する機能をコンピュータに実現させるための解析データ作成プログラムであって、当該構造物の３次元設計データを、前記複数の部品毎に複数の直方体に分割することにより当該構造物の解析データを生成する解析データ生成部、前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出部、及び、この未密接部分抽出部によって抽出された前記未密接部分を形成する前記直方体の形状を調整することにより前記未密接部分が解消された解析データを生成する調整部として、前記コンピュータを機能させることを特徴としている（請求項２）。
【００１１】
また、上記目的を達成するため、本発明のコンピュータ読取可能な記録媒体は、上記解析データ作成プログラムを記録したものである（請求項３）。
また、上記目的を達成するため、本発明の解析データ作成方法は、記憶部に保持された複数の部品からなる構造物の３次元設計データを、前記複数の部品毎に複数の直方体に分割することにより当該構造物の解析データを生成する解析データ生成ステップと、前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出ステップと、この未密接部分抽出ステップにおいて抽出された前記未密接部分を形成する前記直方体の形状を調整することにより前記未密接部分が解消された解析データを生成する調整ステップとを含むことを特徴としている（請求項４）。
【００１２】
また、上記目的を達成するため、本発明の解析装置は、複数の部品からなる構造物の３次元設計データを、前記複数の部品毎に複数の直方体に分割することにより当該構造物の解析データを生成する解析データ生成部と、前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出部と、この未密接部分抽出部によって抽出された前記未密接部分を形成する前記直方体の形状を調整することにより前記未密接部分が解消された解析データを生成する調整部と、この調整部によって前記未密接部分が解消された解析データを用いて当該構造物の解析を行なう解析部とをそなえて構成されていることを特徴としている（請求項５）。
【発明の効果】
【００１３】
このように、本発明によれば、複数の部品からなる構造物の解析を行なうための解析データを作成する際に、解析データにおける未密接部分（隙間等）の解消を、オペレータの手作業によらず、自動的に行なうことができ、解析データの作成を効率的に行なうことができる。
【発明を実施するための最良の形態】
【００１４】
以下、図面を参照しながら本発明の実施の形態について説明する。
〔１〕本発明の一実施形態について
まず、図１に示すブロック図を参照しながら、本発明の一実施形態としての解析装置１の構成について説明する。この図１に示すように、本解析装置１は、複数の部品からなる構造物の変形や応力等を解析（シュミレーション）するものであり、３次元設計データ保持部１０，解析データ生成部１１，未密接部分抽出部１２，調整部１３，解析データ保持部１４，解析部１５，モニタ１６，及び表示制御部１７をそなえて構成されている。
【００１５】
なお、本解析装置１において、３次元設計データ保持部１０，解析データ生成部１１，未密接部分抽出部１２，調整部１３，解析データ保持部１４，モニタ１６，及び表示制御部１７が本発明の解析データ作成装置として機能する。
また、３次元設計データ保持部１０及び解析データ保持部１４としての記憶部は、例えば、本解析装置１として機能するパーソナルコンピュータを構成するＲＡＭ（Random Access Memory）やハードディスク等によって実現される。
【００１６】
３次元設計データ保持部１０は、例えばＣＡＤ（Computer Aided Design）によって作成された、複数の部品からなる構造物の設計データ（ＣＡＤデータ）を保持するものであり、ここでは、３次元で表現された設計データ（以下、３次元設計データという）を保持する。
解析データ生成部１１は、３次元設計データ保持部１０に保持された３次元設計データを、複数の部品毎に複数の直方体に分割することにより、解析部１５による解析を行なうための解析データを生成するものである。
【００１７】
具体的には、上記図１５（ａ），（ｂ）に示すごとく、図１５（ａ）に示す３次元設計データの部品Ｃ，Ｄを、それぞれ複数の直方体に分割して図１５（ｂ）に示すような解析データを生成する。
ここで、上記図１５（ａ），（ｂ）を２次元で表わしたものを、図２（ａ），（ｂ）に示す。なお、図１５（ａ）と図２（ａ）及び図１５（ｂ）と図２（ｂ）とはそれぞれ対応するものであるが、図２（ｂ）は図１５（ｂ）に示す解析データを構成する直方体の数を減らして簡略化している。
【００１８】
この図２（ａ），（ｂ）に示すように、解析データ生成部１１は、図２（ａ）に示す部品Ｃ，Ｄからなる構造物の３次元設計データを、例えば図２（ｂ）に示すごとく、部品Ｃを１６個の直方体Ｃ１〜Ｃ１６に分割するとともに、部品Ｄを６個の直方体Ｄ１〜Ｄ６に分割して解析データを生成する。
なお、解析データ生成部１１が解析データを生成する際、対象の部品を何個の直方体に分割するかは、求められる解析の精度等によって異なるが、解析を高精度に行なう場合には、多くの直方体によって各部品を細かく分割することが好ましく、解析データ生成部１１は、例えば、解析を行なうオペレータ（以下、単にオペレータという）が部品を分割する直方体の数や寸法等を指定して解析データを生成しうるように構成されていることが好ましい。
【００１９】
また、解析データ生成部１１によって生成される解析データには、図３に示すような、解析データを構成する各直方体の位置データとして、各直方体の端部（端面）の位置データ（Ｘ−Ｌｏｗ，Ｘ−Ｈｉｇｈ，Ｙ−Ｌｏｗ，Ｙ−Ｈｉｇｈ，Ｚ−Ｌｏｗ，Ｚ−Ｈｉｇｈ）が含まれている。
未密接部分抽出部１２は、３次元設計データでは２つの部品の端面が相互に密接する部分であって、解析データ生成部１１によって生成された解析データではかかる２つの部品に対応する直方体の端面が相互に密接していない未密接部分を抽出するものである。
【００２０】
つまり、図２（ａ）に示す部品Ｃ，Ｄからなる構造物の３次元設計データを、解析データ生成部１１によって、図２（ｂ）に示すごとく解析データに変換すると、解析データ生成部１１が曲面を有する部品Ｃ，Ｄを直線からなる直方体で分割するため、解析データ上に白抜きで示すごとく、直方体の端面の間に空間（隙間）が存在する未密接部分Ｅ１〜Ｅ１０が生じてしまう。
【００２１】
また、場合によっては、３次元設計データでは２つの部品の端面が相互に密接していても、解析データ生成部１１によって生成された解析データでは、かかる２つの部品に該当する直方体が重なり合って、直方体の端面が相互に密接していない未密接部分（干渉部）が生じることもある。
このように、解析データ生成部１１が複数の部品からなる構造物を部品毎に複数の直方体に分割して解析データを生成することによって生じる未密接部分を、未密接部分抽出部１２が抽出する。
【００２２】
具体的には、未密接部分抽出部１２は、３次元設計データと解析データとを対比することにより、３次元設計データにおいて相互に密接する２つの部品の端面に該当する直方体の端面の位置データ（図３参照）が一致していない未密接部分を抽出する（後述する図１０（ａ）〜（ｄ）参照）。
また、未密接部分抽出部１２は、調整部１３によって未密接部分を解消すべく、未密接部分を形成する直方体が変形された解析データに、未密接部分が残っているか否かを確認する未密接部分確認機能を有している。
【００２３】
調整部１３は、未密接部分抽出部１２によって抽出された未密接部分を形成する直方体の形状を調整することにより、未密接部分が解消された解析データを生成するものである。
ここで、図４（ａ），（ｂ）は調整部１３による未密接部分の解消方法を説明するための図である。なお、図４（ａ），（ｂ）及び後述する図５、図８（ａ），（ｂ）、図１０（ａ），（ｄ）は、図の簡略化のため、３次元で表現される解析データを２次元で表わしている。
【００２４】
図４（ａ）に示すように、例えば、解析データにおいて直方体ｅ１と直方体ｆ１とから未密接部分ｇ１が形成され、直方体ｅ２と直方体ｆ２とから未密接部分ｇ２が形成されている場合、調整部１３は、未密接部分抽出部１２によって抽出された未密接部分ｇ１，ｇ２を解消すべく、図４（ｂ）に示すように、未密接部分ｇ１，ｇ２それぞれを形成する２つの直方体のうちのいずれか一方の直方体（ここでは直方体ｆ１，ｆ２）を変形する。つまり、調整部１３は、未密接部分を解消するために、未密接部分を形成する直方体を単に移動させるのではなく、未密接部分を形成する直方体のうち、基準となる直方体（主形状）の端面を固定し、その他の直方体（従形状）を変形させる。
【００２５】
ここでは、未密接部分ｇ１を解消すべく、３次元設計データでは相互に密接する端面に対応する、直方体ｅ１，ｆ１の相互に対向する端面（図４は２次元で表わされているため、ここでは直線）ｅ１′，ｆ１′が相互に密接する（つまり、端面ｆ１′の位置と端面ｅ１′の位置とが一致する）ように、直方体ｆ１をＹ軸＋（プラス）方向に伸ばして変形させる。このとき、直方体ｅ１の位置及び形状は変更されない。
【００２６】
なお、未密接部分ｇ２を解消する際も、上述した未密接部分ｇ１の解消と同様に、調整部１３は、直方体ｅ２，ｆ２の相互に対向する端面ｅ２′，ｆ２′が相互に密接するように、直方体ｆ２をＹ軸＋（プラス）方向に伸ばして変形させる。このとき、直方体ｅ２の位置及び形状は変更されない。
このように、調整部１３によれば、上記図２（ｂ）に示す未密接部分Ｅ１を解消する際には、例えば、図５に示すごとく直方体Ｄ５をＹ軸プラス方向に伸ばすことにより、図６に示すごとく直方体Ｄ５のＹ−Ｈｉｇｈ座標を１２５に変更して、直方体Ｃ２のＹ−Ｌｏｗ座標と直方体Ｄ５のＹ−Ｈｉｇｈ座標とが一致するようにする。
【００２７】
なお、調整部１３は、直方体を変形する際、当該直方体の１面に対して垂直な方向毎に変形することが好ましく、これにより、オペレータが解消したい未密接部分のみを確実に解消でき、処理の高速化を図ることができる。
換言すると、調整部１３によって直方体を変形する際に、当該直方体を変形する方向を指定せずに複数方向同時に変形させると、部品（直方体）が原形を留めなくなってしまい、未密接部分は解消されても、３次元設計データでは重なり合っていなかった部分が他の部品（直方体）と重なり合うなどの障害が発生し、未密接部分を解消するための作業がより煩雑になって処理時間が遅延してしまう。
【００２８】
そのため、調整部１３は、未密接部分を解消するために形状を変更する直方体及びその変形方向を設定する設定部１３ａをそなえて構成されており、この設定部１３ａによって、オペレータが形状を変更する直方体及びその変形方向を設定しうるようになっている。したがって、調整部１３は、設定部１３ａで形状を変更する直方体やその変形方向が設定されると、その設定に基づいて未密接部分を解消する。
【００２９】
図７に設定部１３ａの設定画面３０の一例を示す。なお、この図７に示す設定画面３０は表示制御部１７によってモニタ１６に表示されるものである。
図７に示すように、設定部１３ａによれば、基準となる部品（主形状）が指定ボックス３１で指定されることにより、指定された部品に該当する直方体を基準（参照用）として設定し、変形する部品（従形状）が指定ボックス３２で指定されることにより、指定された部品に該当する直方体を変形対象（整列用）として設定し、さらに、設定領域３３において部品（直方体）を変形する方向を指定する。そして、これらの設定後に処理実行ボタン３４をクリックすることにより、調整部１３が、指定された直方体を指定された方向に変形して未密接部分を解消する。また、形状確認ボタン３５をクリックすると、未密接部分抽出部１２の未密接部分確認機能によって、解析データに未密接部分が残っているか否かが確認される。
【００３０】
この図７に示す例では、指定ボックス３１において基準となる部品として部品Ｃが指定され、指定ボックス３２において変形する部品として部品Ｄが設定され、さらに、指定領域３３において部品Ｄを変形する方向としてＹ方向（＋）が指定されている。
なお、指定ボックス３１，３２に直方体ナンバーを直接入力することによって形状を変更する直方体を、直方体単位で指定できるようにしてもよい。
【００３１】
解析データ保持部１４は、解析データ生成部１１によって生成された解析データを保持するとともに、調整部１３によって未密接部分が解消された解析データを保持するものである。
解析部１５は、解析データ保持部１４に保持された、調整部１３によって未密接部分が解消された解析データに基づいて、構造物の解析（シュミレーション）を行なうものであり、例えば、構造物の応力や変形等の解析を実行する。この解析部１５による解析は、解析データ生成部１１によって生成される解析データを用いるものであればよく、本発明において特に限定されるものではない。
【００３２】
表示制御部１７は、モニタ１６の表示内容を制御するものであり、ここでは、３次元設計データ保持部１０に保持された３次元設計データをモニタ１６に表示させたり、あるいは、解析データ保持部１４に保持された解析データをモニタ１６に表示させたり、もしくは、未密接部分抽出部１２によって抽出された未密接部分を解析データ上で強調表示させたり、さらには、設定部１３ａの設定画面（図７参照）をモニタ１６に表示させたりする。
【００３３】
図８（ａ），（ｂ）は表示制御部１７による未密接部分の強調表示例を説明するための図である。図８（ａ）に示すように、解析データ生成部１１によって生成された解析データにおいて、未密接部分抽出部１２によって未密接部分Ｅが抽出された場合、表示制御部１７は、例えば図８（ｂ）に示すごとく、モニタ１６における未密接部分Ｅ上にバルーンＦを重ね合わせて表示させることにより、未密接部分Ｅを強調表示させる。これにより、オペレータはモニタ１６に表示された解析データから容易に未密接部分Ｅを確認することができる。また、バルーンＦをオペレータがクリックすることにより、図７に示す設定画面３０が表示されるようになっている。
【００３４】
なお、本発明において、表示制御部１７による未密接部分の強調表示は上記図８（ｂ）に示す例に限定されるものではなく、例えば、バルーンＦを表示させる位置を未密接部分Ｅの上方もしくは下方等に設定してもよく、さらには、バルーンＦを用いずに未密接部分Ｅを他の部分とは異なる色や線種によって強調表示してもよく、少なくとも未密接部分Ｅが他の部分に対して強調表示されていればよい。
【００３５】
次に、図９に示すフローチャート（ステップＳ１０〜Ｓ１８）を参照しながら、本発明の一実施形態としての解析方法の手順（解析装置１の動作）を説明する。なお、図９におけるステップＳ１０〜ステップＳ１７には本発明の解析データ作成方法が含まれている。
この図９に示すように、まず、解析データ生成部１１が、３次元設計データ保持部１０に保持された複数の部品からなる構造物の３次元設計データを、複数の部品毎に複数の直方体に分割することにより当該構造物の解析データを生成する（ステップＳ１０；解析データ生成ステップ）。
【００３６】
次に、未密接部分抽出部１２が、３次元設計データでは２つの部品の端面が相互に密接する部分であって、解析データでは２つの部品に対応する直方体の端面が相互に密接していない未密接部分を、解析データに含まれる直方体の位置データに基づいて抽出する（ステップＳ１１；未密接部分抽出ステップ）。
ここで、上記ステップＳ１０において、図１０（ａ）に示す直方体Ｊ１〜３，Ｋ１〜３からなる解析データが生成された場合、未密接部分抽出部１２は、３次元設計データとかかる解析データとを対比して、３次元設計データでは２つの部品が相互に密接する端面に対応する直方体の端面（境界部）の位置データが一致するか否かを確認する。ここでは、図１０（ｂ）に示す各直方体の位置データに基づいて、直方体Ｊ１，Ｊ２，Ｊ３のＹ−Ｈｉｇｈ端面と直方体Ｋ１，Ｋ２，Ｋ３のＹ−Ｌｏｗ端面とがそれぞれ一致するか否かを確認する。つまり、図１０（ｃ）に示すごとく、かかる端面が一致していれば１本の線分（但し、図１０（ａ）は２次元に簡略化した図であるため３次元では面）が現われるが、かかる端面が一致していなければ２本の線分（面）が現われ、この場合に未密接部分抽出部１２は未密接部分Ｋ′を抽出する。
【００３７】
次に、表示制御部１７が、未密接部分抽出部１２によって抽出された未密接部分Ｋ′を、図１０（ｄ）に示すごとくバルーンＦによって強調表示する（ステップＳ１２；強調表示ステップ）。
そして、設定部１３ａによって未密接部分を形成する直方体のうちの一の直方体を基準として選択し、他の直方体を、未密接部分を解消すべく形状を変形する直方体として選択する（ステップＳ１３）。
【００３８】
次いで、設定部１３ａによって直方体の形状を変更する方向を設定指示した後（ステップＳ１４）、調整部１３が、設定部１３ａによる設定内容に基づいて、未密接部分を形成する直方体の形状を変更する処理を実行する（ステップＳ１５；調整ステップ）。
そして、未密接部分抽出部１２の未密接部分確認機能によって、調整部１３によって未密接部分を形成する直方体の形状が変形された解析データに未密接部分が残っているか否かが確認され（ステップＳ１６；未密接部分確認ステップ）、すべての未密接部分が解消されていなければ（ステップＳ１７のＮｏルート）、すべての未密接部分が解消されたと判断されるまで上記ステップＳ１３〜Ｓ１６の処理を繰り返し、解析データにおいてすべての未密接部分が解消されていれば（ステップＳ１７のＹｅｓルート）、解析部１５が解析データを用いて解析を行ない（ステップＳ１８；解析ステップ）、処理を終了する。
【００３９】
このように、本発明の一実施形態としての解析装置１及び解析方法によれば、複数の部品からなる構造物の解析を行なうための解析データを作成する際に、解析データにおける未密接部分（隙間等）の解消を、オペレータの手作業によらず、自動的に行なうことができ、解析データの作成を効率的に行なうことができる。
また、調整部１３が、設定部１３ａによってオペレータが設定した直方体と変形方向とに基づいて当該直方体を変形するため、直方体を変形することによって解消すべき未密接部分とは異なる箇所等に新たな未密接部分が発生するようなことを抑止でき、未密接部分の解消を確実且つ迅速に行なうことができる。
【００４０】
なお、設定部１３ａによって位置及び形状を固定する基準となる直方体と形状を変更する直方体とを設定し、未密接部分を形成する直方体のうちの一の直方体のみを形状変更することによっても、解消すべき未密接部分とは異なる箇所等に新たな未密接部分が発生するようなことを抑止でき、未密接部分の解消を確実且つ迅速に行なうことができる。
さらに、未密接部分抽出部１２の未密接部分確認機能によって、調整部１３により未密接部分が解消された解析データに未密接部分が残っているか否かを確認することができるため、オペレータが残存する未密接部分の確認を手作業で行なうことなく、解析データの生成処理を効率的に行なうことができるとともに、未密接部分が完全に解消された解析データを確実に生成することができる。
【００４１】
〔２〕その他
なお、本発明は上述した実施形態に限定されるものではなく、本発明の趣旨を逸脱しない範囲で種々変形して実施することができる。
例えば、上述した実施形態では、ＣＡＤ等で作成された３次元設計データを解析データに変換する例をあげて説明したが、本発明はこれに限定されるものではなく、解析データを生成する対象の設計データは２次元の設計データでもよい。
【００４２】
また、上述した実施形態では、１つの未密接部分が一対の直方体によって形成された例をあげて説明したが、解析データ生成部１１によって生成される解析データでは、１つの未密接部分が３以上の直方体によって形成される場合もあるが、本発明によれば、未密接部分抽出部１２が、３次元設計データと解析データとを対比することにより、３次元設計データにおいて相互に密接する２つの部品の端面に該当する直方体の端面が密接していない未密接部分を抽出するため、このように１つの未密接部分が３以上の直方体によって形成される場合でも適用することができる。
【００４３】
さらに、１つの未密接部分が３以上の直方体によって形成されることを回避するため、本発明の解析データ生成部１１が１つの未密接部分が必ず一対の直方体で形成されるように、解析データを生成するようにしてもよい。この場合、例えば、解析データ生成部１１は、一旦解析データを生成し、生成された解析データに基づいて、１つの部品を構成する直方体の数を変更することなく、直方体の寸法を変更して未密接部分が一対の直方体で形成されるように解析データを再生成する。なお、求められる解析の精度等に支障が起きなければ、１つの部品を構成する直方体の数を変更してもよい。
【００４４】
また、上述した実施形態では、未密接部分抽出部１２が、３次元設計データと解析データとを対比して未密接部分を抽出するように構成したが、本発明はこれに限定されるものではない。
ここで、図１１は本発明の変形例としての解析装置１′の構成を示すブロック図である。例えば、この図１１に示すように、未密接部分抽出部１２が、３次元設計データと解析データとの対応関係を示す情報として、３次元設計データにおいて２つの部品の相互に密接する部分に該当する直方体と密接方向とを示す密接情報を抽出する密接情報抽出部１２ａをそなえて構成され、この密接情報抽出部１２ａによって抽出された密接情報に基づいて未密接部分を抽出するように構成してもよい。
【００４５】
ここで、密接情報抽出部１２ａが抽出部する密接情報は、例えば、一対の直方体の識別番号（直方体ナンバー）と密接方向とからなる。
すなわち、密接情報抽出部１２ａは、解析データ生成部１１が３次元設計データを直方体によって分割する際に、３次元設計データにおいて２つの部品の相互に密接する部分に該当する直方体について、それぞれが密接する対応関係にあることを示す密接情報を抽出するようになっており、例えば、図２（ａ），（ｂ）に示す構造物の場合、図１２に示すように、密接情報として直方体Ｃ１と直方体Ｄ３との一対の識別番号と密接するＹ軸−（マイナス）方向とを抽出し、直方体Ｃ１と直方体Ｄ４との一対の識別番号と密接するＹ軸−（マイナス）方向とを抽出し、直方体Ｃ２と直方体Ｄ５との一対の識別番号と密接するＹ軸−（マイナス）方向とを抽出し、以下、図１２に示すごとく、すべての直方体についての密接情報を抽出する。
【００４６】
そして、未密接部分抽出部１２は、解析データに含まれる各直方体の位置データ（図３参照）と密接情報抽出部１２ａによって抽出された密接情報（図１２参照）とに基づいて、密接情報に含まれる一対の直方体の端面が相互に密接していない組を抽出することによって、未密接部分を抽出してもよい。
本変形例の場合、例えば、図１２に示す直方体Ｃ２と直方体Ｄ５とが直方体Ｃ２のＹ軸−（マイナス）方向において密接するという密接情報に基づいて、未密接部分抽出部１２が、図３に示すこれら直方体Ｃ２，Ｄ５の端面の位置データのうちの直方体Ｃ２のＹ−Ｌｏｗ座標と直方体Ｄ５のＹ−Ｈｉｇｈ座標とを比較する。ここでは、これらの座標が一致しないため、未密接部分抽出部１２は、図２（ｂ）に示す空白（白抜き）部分を未密接部分Ｅ１として抽出する。一方、直方体Ｃ１のＹ−Ｌｏｗ座標と直方体Ｄ４のＹ−Ｈｉｇｈ座標とは一致するため、この場合、未密接部分抽出部１２によって未密接部分は抽出されない。
【００４７】
このように、本発明の変形例としての解析装置１′によれば、未密接部分抽出部１２が直方体の位置データと密接情報抽出部１２ａによって抽出された密接情報とに基づいて未密接部分を抽出するため、上述した実施形態と同様の効果を得ることができる。
なお、本発明の解析装置１，１′における未密接部分抽出部１２，調整部１３，及び設定部１３ａは、上述のごとく解析データを生成する以外に、例えばＣＡＤを用いた構造物の設計工程において適用することができる。つまり、図１３（ａ）に示すような３つの部品Ｌ，Ｍ，ＮからなるアセンブリのＣＡＤデータにおいて、部品Ｍが部品Ｌに置き換えることができる場合、図１３（ｂ）に示すごとく部品Ｍを削除することがあるが、このとき、本発明の未密接部分抽出部１２（密接情報抽出部１２ａ）によって部品Ｌと部品Ｍとの間の隙間を抽出し、抽出した隙間をもとに本発明の調整部１３及び設定部１３ａによって、図１３（ｃ）に示すごとく、例えば部品Ｌの形状を変形してかかる隙間を解消することができる。
【００４８】
また、上述した解析データ生成部１１，未密接部分抽出部１２，密接情報抽出部１２ａ，調整部１３，設定部１３ａ，解析部１５，及び表示制御部１７としての機能は、コンピュータ（ＣＰＵ，情報処理装置，各種端末を含む）が所定のアプリケーションプログラム（解析プログラムもしくは解析データ作成プログラム）を実行することによって実現されてもよい。
【００４９】
それらのプログラムは、例えばフレキシブルディスク，ＣＤ（ＣＤ−ＲＯＭ，ＣＤ−Ｒ，ＣＤ−ＲＷなど），ＤＶＤ（ＤＶＤ−ＲＯＭ，ＤＶＤ−ＲＡＭ，ＤＶＤ−Ｒ，ＤＶＤ−ＲＷ，ＤＶＤ＋Ｒ，ＤＶＤ＋ＲＷなど）等のコンピュータ読取可能な記録媒体に記録された形態で提供される。この場合、コンピュータはその記録媒体から解析プログラムもしくは解析データ作成プログラムを読み取って内部記憶装置または外部記憶装置に転送し格納して用いる。また、それらのプログラムを、例えば磁気ディスク，光ディスク，光磁気ディスク等の記憶装置（記録媒体）に記録しておき、その記憶装置から通信回線を介してコンピュータに提供するようにしてもよい。
【００５０】
ここで、コンピュータとは、ハードウェアとＯＳ（オペレーティングシステム）とを含む概念であり、ＯＳの制御の下で動作するハードウェアを意味している。また、ＯＳが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえている。
【００５１】
上記解析プログラムとしてのアプリケーションプログラムは、上述のようなコンピュータに、解析データ生成部１１，未密接部分抽出部１２，密接情報抽出部１２ａ，調整部１３，設定部１３ａ，解析部１５，及び表示制御部１７としての機能を実現させるプログラムコードを含んでいる。また、その機能の一部は、アプリケーションプログラムではなくＯＳによって実現されてもよい。
【００５２】
さらに、上記解析データ作成プログラムとしてのアプリケーションプログラムは、上述のようなコンピュータに、解析データ生成部１１，未密接部分抽出部１２，密接情報抽出部１２ａ，調整部１３，設定部１３ａ，及び表示制御部１７としての機能を実現させるプログラムコードを含んでいる。また、その機能の一部は、アプリケーションプログラムではなくＯＳによって実現されてもよい。
【００５３】
なお、本実施形態としての記録媒体としては、上述したフレキシブルディスク，ＣＤ，ＤＶＤ，磁気ディスク，光ディスク，光磁気ディスクのほか、ＩＣカード，ＲＯＭカートリッジ，磁気テープ，パンチカード，コンピュータの内部記憶装置（ＲＡＭやＲＯＭなどのメモリ），外部記憶装置等や、バーコードなどの符号が印刷された印刷物等の、コンピュータ読取可能な種々の媒体を利用することもできる。
【００５４】
〔３〕付記
（付記１）
複数の部品からなる構造物の３次元設計データを、前記複数の部品毎に複数の直方体に分割することにより当該構造物の解析データを生成する解析データ生成部と、
前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出部と、
該未密接部分抽出部によって抽出された前記未密接部分を形成する前記直方体の形状を調整することにより前記未密接部分が解消された解析データを生成する調整部とをそなえて構成されていることを特徴とする、解析データ作成装置。
【００５５】
（付記２）
前記未密接部分抽出部が、前記解析データに含まれる、前記３次元設計データにおいて相互に密接する前記２つの部品の端面に該当する前記直方体の端面の位置データに基づいて、前記未密接部分を抽出することを特徴とする、付記１記載の解析データ作成装置。
（付記３）
前記３次元設計データにおいて前記２つの部品が相互に密接する部分に該当する前記直方体と密接方向とを示す密接情報を抽出する密接情報抽出部をそなえ、
前記未密接部分抽出部が、前記密接情報抽出部によって抽出された前記密接情報に基づいて、前記未密接部分を抽出することを特徴とする、付記２記載の解析データ作成装置。
【００５６】
（付記４）
前記調整部は、前記未密接部分を形成する前記直方体のうち、前記３次元設計データにおいて端面が相互に密接する前記２つの部品のうちの一方の部品に該当する直方体を変形することを特徴とする、付記１〜付記３のいずれか１項に記載の解析データ作成装置。
（付記５）
前記調整部は、前記未密接部分を形成する前記直方体を、当該直方体の１面に対して垂直な方向毎に変形することを特徴とする、付記１〜付記４のいずれか１項に記載の解析データ作成装置。
【００５７】
（付記６）
前記調整部によって変形する直方体及び変形する方向を設定する設定部をそなえて構成されていることを特徴とする、付記１〜付記５のいずれか１項に記載の解析データ作成装置。
（付記７）
前記解析データが表示された表示部において、前記未密接部分抽出部によって抽出された前記未密接部分を強調表示させる表示制御部をそなえて構成されていることを特徴とする、付記１〜付記６のいずれか１項に記載の解析データ作成装置。
【００５８】
（付記８）
前記未密接部分抽出部が、前記調整部によって前記未密接部分を形成する直方体が変形された解析データに前記未密接部分が残っているか否かを確認する未密接部分確認機能を有していることを特徴とする、付記１〜付記７のいずれか１項に記載の解析データ作成装置。
【００５９】
（付記９）
複数の部品からなる構造物の解析に用いる解析データを作成する機能をコンピュータに実現させるための解析データ作成プログラムであって、
当該構造物の３次元設計データを、前記複数の部品毎に複数の直方体に分割することにより当該構造物の解析データを生成する解析データ生成部、
前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出部、及び、
該未密接部分抽出部によって抽出された前記未密接部分を形成する前記直方体の形状を調整することにより前記未密接部分が解消された解析データを生成する調整部として、前記コンピュータを機能させることを特徴とする、解析データ作成プログラム。
【００６０】
（付記１０）
前記未密接部分抽出部が、前記解析データに含まれる、前記３次元設計データにおいて相互に密接する前記２つの部品の端面に該当する前記直方体の端面の位置データに基づいて、前記未密接部分を抽出するように、前記コンピュータを機能させることを特徴とする、付記９記載の解析データ作成プログラム。
【００６１】
（付記１１）
前記３次元設計データにおいて前記２つの部品が相互に密接する部分に該当する前記直方体と密接方向とを示す密接情報を抽出する密接情報抽出部として、前記コンピュータを機能させるとともに、
前記未密接部分抽出部が、前記密接情報抽出部によって抽出された前記密接情報に基づいて、前記未密接部分を抽出するように、前記コンピュータを機能させることを特徴とする、付記１０記載の解析データ作成プログラム。
【００６２】
（付記１２）
前記調整部は、前記未密接部分を形成する前記直方体のうち、前記３次元設計データにおいて端面が相互に密接する前記２つの部品のうちの一方の部品に該当する直方体を変形するように、前記コンピュータを機能させることを特徴とする、付記９〜付記１１のいずれか１項に記載の解析データ作成プログラム。
【００６３】
（付記１３）
前記調整部は、前記未密接部分を形成する前記直方体を、当該直方体の１面に対して垂直な方向毎に変形するように、前記コンピュータを機能させることを特徴とする、付記９〜付記１２のいずれか１項に記載の解析データ作成プログラム。
（付記１４）
前記調整部によって変形する直方体及び変形する方向を設定する設定部として、前記コンピュータを機能させることを特徴とする、付記９〜付記１３のいずれか１項に記載の解析データ作成プログラム。
【００６４】
（付記１５）
前記解析データが表示された表示部において、前記未密接部分抽出部によって抽出された前記未密接部分を強調表示させる表示制御部として、前記コンピュータを機能させることを特徴とする、付記９〜付記１４のいずれか１項に記載の解析データ作成プログラム。
（付記１６）
前記未密接部分抽出部が、前記調整部によって前記未密接部分を形成する直方体が変形された解析データに前記未密接部分が残っているか否かを確認する未密接部分確認機能を有するように、前記コンピュータを機能させることを特徴とする、付記９〜付記１５のいずれか１項に記載の解析データ作成プログラム。
【００６５】
（付記１７）
複数の部品からなる構造物の解析に用いる解析データを作成する機能をコンピュータに実現させるための解析データ作成プログラムを記録したコンピュータ読取可能な記録媒体であって、
前記解析データ作成プログラムが、
当該構造物の３次元設計データを、前記複数の部品毎に複数の直方体に分割することにより当該構造物の解析データを生成する解析データ生成部、
前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出部、及び、
該未密接部分抽出部によって抽出された前記未密接部分を形成する前記直方体の形状を調整することにより前記未密接部分が解消された解析データを生成する調整部として、前記コンピュータを機能させることを特徴とする、解析データ作成プログラムを記録したコンピュータ読取可能な記録媒体。
【００６６】
（付記１８）
記憶部に保持された複数の部品からなる構造物の３次元設計データを、前記複数の部品毎に複数の直方体に分割することにより当該構造物の解析データを生成する解析データ生成ステップと、
前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出ステップと、
該未密接部分抽出ステップにおいて抽出された前記未密接部分を形成する前記直方体の形状を調整することにより前記未密接部分が解消された解析データを生成する調整ステップとを含むことを特徴とする、解析データ作成方法。
【００６７】
（付記１９）
複数の部品からなる構造物の３次元設計データを、前記複数の部品毎に複数の直方体に分割することにより当該構造物の解析データを生成する解析データ生成部と、
前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出部と、
該未密接部分抽出部によって抽出された前記未密接部分を形成する前記直方体の形状を調整することにより前記未密接部分が解消された解析データを生成する調整部と、
該調整部によって前記未密接部分が解消された解析データを用いて当該構造物の解析を行なう解析部とをそなえて構成されていることを特徴とする、解析装置。
【００６８】
（付記２０）
複数の部品からなる構造物の解析に用いる解析データを作成して当該構造物の解析を実行する機能をコンピュータに実現させるための解析プログラムであって、
当該構造物の３次元設計データを、前記複数の部品毎に複数の直方体に分割することにより当該構造物の解析データを生成する解析データ生成部、
前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出部、
該未密接部分抽出部によって抽出された前記未密接部分を形成する前記直方体の形状を調整することにより前記未密接部分が解消された解析データを生成する調整部、及び、
該調整部によって前記未密接部分が解消された解析データを用いて当該構造物の解析を行なう解析部として、前記コンピュータを機能させることを特徴とする、解析プログラム。
【００６９】
（付記２１）
複数の部品からなる構造物の解析に用いる解析データを作成して当該構造物の解析を実行する機能をコンピュータに実現させるための解析プログラムを記録したコンピュータ読取可能な記録媒体であって、
前記解析プログラムが、
当該構造物の３次元設計データを、前記複数の部品毎に複数の直方体に分割することにより当該構造物の解析データを生成する解析データ生成部、
前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出部、
該未密接部分抽出部によって抽出された前記未密接部分を形成する前記直方体の形状を調整することにより前記未密接部分が解消された解析データを生成する調整部、及び、
該調整部によって前記未密接部分が解消された解析データを用いて当該構造物の解析を行なう解析部として、前記コンピュータを機能させることを特徴とする、解析プログラムを記録したコンピュータ読取可能な記録媒体。
【００７０】
（付記２２）
記憶部に保持された複数の部品からなる構造物の３次元設計データを、前記複数の部品毎に複数の直方体に分割することにより当該構造物の解析データを生成する解析データ生成ステップと、
前記３次元設計データでは２つの部品の端面が相互に密接する部分であって、前記解析データ生成部によって生成された前記解析データでは前記２つの部品に対応する前記直方体の端面が相互に密接していない未密接部分を、前記解析データから抽出する未密接部分抽出ステップと、
該未密接部分抽出ステップにおいて抽出された前記未密接部分を形成する前記直方体の形状を調整することにより前記未密接部分が解消された解析データを生成する調整ステップと
該調整ステップにおいて前記未密接部分が解消された解析データを用いて当該構造物の解析を行なう解析ステップとを含むことを特徴とする、解析方法。
【図面の簡単な説明】
【００７１】
【図１】本発明の一実施形態としての解析装置の構成を示すブロック図である。
【図２】本発明の一実施形態としての解析装置の解析データ生成部によって生成される解析データを説明するための図であり、（ａ）は２次元に簡略化した３次元設計データを示す図であり、（ｂ）は（ａ）に示す３次元設計データから生成された解析データを示す図である。
【図３】本発明の一実施形態としての解析装置の解析データに含まれる位置データを説明するための図である。
【図４】本発明の一実施形態としての解析装置の調整部による未密接部分の解消方法を説明するための図であり、（ａ）は未密接部分を有する解析データを示す図であり、（ｂ）は（ａ）に示す未密接部分を解消した解析データを示す図である。
【図５】本発明の一実施形態としての解析装置の調整部による、図２（ｂ）に示す解析データにおける未密接部分の解消を説明するための図である。
【図６】図５に示す未密接部分の解消後の解析データに含まれる位置データを説明するための図である。
【図７】本発明の一実施形態としての解析装置の設定部による設定画面の一例を示す図である。
【図８】本発明の一実施形態としての解析装置の表示制御部による未密接部分の強調表示例を説明するための図であり、（ａ）は未密接部分を有する解析データを示す図であり、（ｂ）は（ａ）に示す未密接部分を強調表示した解析データを示す図である。
【図９】本発明の一実施形態としての解析方法の手順を説明するためのフローチャートである。
【図１０】本発明の一実施形態としての解析装置の未密接部分抽出部による未密接部分の抽出方法を説明するための図であり、（ａ）は未密接部分を有する解析データを示す図であり、（ｂ）は（ａ）に示す解析データに含まれる位置データを示す図であり、（ｃ）は未密接部分抽出部における内部処理を説明するための図であり、（ｄ）は（ａ）に示す解析データにおける未密接部分を強調表示したものを示す図である。
【図１１】本発明の変形例としての解析装置の構成を示すブロック図である。
【図１２】本発明の変形例としての解析装置の密接情報抽出部によって抽出される密接情報を説明するための図である。
【図１３】本発明の解析装置における密接情報抽出部，未密接部分抽出部，調整部，及び設定部の他の適用例を説明するための図であり、（ａ）はＣＡＤデータを示す図であり、（ｂ）は（ａ）に示すＣＡＤデータに変更を加えて隙間が発生したＣＡＤデータを示す図であり、（ｃ）は（ｂ）に示す隙間を解消したＣＡＤデータを示す図である。
【図１４】本発明における解析データを説明するための図であり、（ａ）は３次元設計データを示す図であり、（ｂ），（ｃ）は（ａ）に示す３次元設計データから生成された解析データを示す図である。
【図１５】本発明における解析データ及び未密接部分（隙間）を説明するための図であり、（ａ）は３次元設計データを示す図であり、（ｂ）は（ａ）に示す３次元設計データから生成された解析データを示す図である。
【符号の説明】
【００７２】
１，１′  解析装置
１０  ３次元設計データ保持部（記憶部）
１１  解析データ生成部
１２  未密接部分抽出部
１２ａ  密接情報抽出部
１３  調整部
１３ａ  設定部
１４  解析データ保持部
１５  解析部
１６  モニタ（表示部）
１７  表示制御部
【図１】
2006185276.tif 000003
【図２】
2006185276.tif 000004
【図３】
2006185276.tif 000005
【図４】
2006185276.tif 000006
【図５】
2006185276.tif 000007
【図６】
2006185276.tif 000008
【図７】
2006185276.tif 000009
【図８】
2006185276.tif 000010
【図９】
2006185276.tif 000011
【図１０】
2006185276.tif 000012
【図１１】
2006185276.tif 000013
【図１２】
2006185276.tif 000014
【図１３】
2006185276.tif 000015
【図１４】
2006185276.tif 000016
【図１５】
2006185276.tif 000017